(57)【要約】【課題】通信ネットワーク【解決手段】少なくとも一つのマクロセル基地局と、前記マクロセル基地局のカバレッジエリア範囲内にある複数のフェムトセル基地局とを備える通信ネットワークを操作する方法であって、前記少なくとも一つのマクロセル基地局と前記複数のフェムトセル基地局との間のシグナリング経路にプロキシを設けることと、移動性支援及び干渉制御のための一方向のシグナリングを、前記少なくとも一つのマクロセル基地局から前記プロキシへ提供することと、移動性支援及び干渉制御のためのシグナリングを、前記プロキシと前記複数のフェムトセル基地局との間に提供することと、を備える方法を提供する。【選択図】図２
2010045782.tif 000002
【特許請求の範囲】
【請求項１】
少なくとも一つのマクロセル基地局と、前記マクロセル基地局のカバレッジエリア範囲内にある複数のフェムトセル基地局とを備える通信ネットワークを操作する方法であって、
前記少なくとも一つのマクロセル基地局と前記複数のフェムトセル基地局との間のシグナリング経路にプロキシを設けることと、
移動性支援及び干渉制御のための一方向シグナリングを、前記少なくとも一つのマクロセル基地局から前記プロキシへ提供することと、
移動性支援及び干渉制御のためのシグナリングを、前記プロキシと前記複数のフェムトセル基地局との間に提供することと、を備える方法。
【請求項２】
移動性支援及び干渉制御のためのシグナリングを、前記プロキシと前記複数のフェムトセル基地局との間に提供する前記ステップは、移動性支援及び干渉制御のための一方向のシグナリングを、前記プロキシから前記複数のフェムトセル基地局に提供することを備える請求項１に記載の方法。
【請求項３】
移動性支援及び干渉制御のための双方向シグナリングを、前記複数のフェムトセル基地局の間に提供するステップを更に備える請求項２に記載の方法。
【請求項４】
前記複数のフェムトセル基地局のそれぞれは、それぞれのカバレッジエリアを提供し、移動性支援及び干渉制御のための双方向シグナリングを、前記複数のフェムトセル基地局の間に提供する前記ステップは、移動性支援及び干渉制御のためのシグナリングを、各フェムトセル基地局と前記フェムトセル基地局の通信範囲内にある他のフェムトセル基地局との間に提供することを備える請求項３に記載の方法。
【請求項５】
前記複数のフェムトセル基地局のそれぞれからコアネットワーク又はフェムトセル基地局ゲートウェイへ、制御インタフェースを提供するステップを更に備え、前記コアネットワークまたはフェムトセル基地局ゲートウェイへの前記制御インタフェースは、移動性支援及び干渉制御のためのシグナリングを前記プロキシに提供するために、前記フェムトセル基地局によって使用される請求項２、３、又は４のいずれかに記載の方法。
【請求項６】
移動性支援及び干渉制御のためのシグナリングを前記プロキシと前記複数のフェムトセル基地局との間に提供する前記ステップは、移動性支援及び干渉制御のための双方向シグナリングを、前記プロキシと前記複数のフェムトセル基地局のそれぞれとの間に提供することを備える請求項１に記載の方法。
【請求項７】
フェムトセル基地局により、
無線環境の測定から、近接するマクロセル基地局を検知するステップと、
前記制御インタフェースを使い、検知されたマクロセル基地局からの、移動性支援及び干渉制御のためのシグナリングを提供するよう前記プロキシに要求するステップと、
を更に備える請求項５又は６に記載の方法。
【請求項８】
フェムトセル基地局により、
無線環境の測定から、近接するフェムトセル基地局を検知するステップと、
前記制御インタフェースを使い、検知されたフェムトセル基地局からの、移動性支援及び干渉制御のための前記シグナリングを提供するよう前記プロキシに要求するステップと、
を更に備える請求項５、６、又は７に記載の方法。
【請求項９】
第１のフェムトセル基地局により、
前記検知されたフェムトセル基地局が検知されなくなった場合、又は、前記第１の又は前記検知されたフェムトセル基地局が停止した場合に、前記検知されたフェムトセル基地局からの移動性支援及び干渉制御のためのシグナリングを終了することを要求するステップを更に備える請求項８に記載の方法。
【請求項１０】
前記プロキシにより、
移動性支援及び干渉制御のための前記シグナリングを前記プロキシに提供するようマクロセル基地局に要求するステップ、
を、更に備える請求項１から９のいずれか１項記載の方法。
【請求項１１】
前記通信ネットワークは、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）であり、前記フェムトセル基地局はホーム又はエンタープライズ基地局装置であり、移動性支援及び干渉制御のための前記シグナリングはＸ２シグナリングである請求項１から１０のいずれか１項記載の方法。
【請求項１２】
少なくとも１つのマクロセル基地局と、前記少なくとも１つのマクロセル基地局のカバレッジエリア範囲内にある複数のフェムトセル基地局とを備える通信ネットワークにおいて使用されるノードであって、
前記少なくとも１つのマクロセル基地局と前記複数のフェムトセル基地局との間のシグナリング経路においてプロキシとして機能し、
移動性支援及び干渉制御のための一方向シグナリングを、前記少なくとも１つのマクロセル基地局から受信し、
移動性支援及び干渉制御のためのシグナリングを前記複数のフェムトセル基地局に提供するように、構成されるノード。
【請求項１３】
移動性支援及び干渉制御のための一方向シグナリングを前記複数のフェムトセル基地局に提供するように構成される請求項１２に記載のノード。
【請求項１４】
別の制御インタフェースを介して前記複数のフェムトセル基地局からシグナリング制御情報を受信するよう構成される請求項１２又は１３に記載のノード。
【請求項１５】
前記別の制御インタフェースはＳ１インタフェースである請求項１４に記載のノード。
【請求項１６】
移動性支援及び干渉制御のための双方向シグナリングを前記複数のフェムトセル基地局に提供するように構成される請求項１２に記載のノード。
【請求項１７】
前記ノードは、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）において使用され、移動性支援及び干渉制御のための前記シグナリングはＸ２シグナリングである請求項１２から１６のいずれか１項記載のノード。
【請求項１８】
少なくとも１つのマクロセル基地局と、プロキシとを備える通信ネットワークにおいて使用されるフェムトセル基地局であって、前記少なくとも１つのマクロセル基地局のカバレッジエリア範囲内での使用に適し、移動性支援及び干渉制御のための一方向シグナリングを、前記プロキシを介して前記少なくとも１つのマクロセル基地局から受信するように構成されるフェムトセル基地局。
【請求項１９】
前記フェムトセル基地局はカバレッジエリアを有し、前記カバレッジエリア範囲内のその他のフェムトセル基地局と、移動性支援及び干渉制御のための双方向シグナリングを確立するように構成される請求項１８に記載のフェムトセル基地局。
【請求項２０】
移動性支援及び干渉制御のためのシグナリングを、別の制御インタフェースを介して前記プロキシへ提供するよう構成される請求項１８又は１９に記載のフェムトセル基地局。
【請求項２１】
前記別の制御インタフェースはＳ１インタフェースである請求項２０に記載のフェムトセル基地局。
【請求項２２】
前記フェムトセル基地局は、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）において使用され、移動性支援及び干渉制御のための前記シグナリングはＸ２シグナリングである請求項１８から２１のいずれか１項記載のフェムトセル基地局。
【請求項２３】
少なくとも一つのマクロ基地局装置と、前記少なくとも一つのマクロ基地局装置のカバレッジエリア範囲内にある複数のホーム又はエンタープライズ基地局装置とを備えるＥ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）を操作する方法であって、
前記少なくとも一つのマクロ基地局装置と前記複数のホーム又はエンタープライズ基地局装置との間のシグナリング経路にプロキシを設けることと、
前記少なくとも一つのマクロ基地局装置から前記プロキシへ一方向Ｘ２シグナリングを提供することと、
前記プロキシと前記複数のホーム又はエンタープライズ基地局装置との間にＸ２シグナリングを提供することと、
を備える方法。
【発明の詳細な説明】
【技術分野】
【０００１】
本発明は、通信ネットワークに関し、特に、複数のフェムトセル基地局を備える通信ネットワークに関する。
【背景技術】
【０００２】
Ｅ−ＵＴＲＡＮ（Evolved Universal Terrestrial Radio Access Network）において、ユーザ装置（ＵＥ）は、基地局装置（ｅＮＢ：enhanced Node B）を介して無線ネットワークにアクセスする。ｅＮＢは無線インタフェース上で接続を開始し、無線インタフェースリソースを割り当て、スケジューリングを実行する。ｅＮＢは、Ｓ１として知られるインタフェースを介してコアネットワークに接続される。ｅＮＢは、活動を調整する上級ネットワーク当局を使用する必要なしに、ハンドオーバ等の活動の開始及び完了をｅＮＢに許可する、Ｘ２として知られるインタフェースを介して内部接続もされる。
【０００３】
フェムトセル（又は、「ホーム」若しくは「エンタープライズ」ｅＮＢ）は、小型で省電力の住居用又はビジネス用屋内無線基地局である。フェムトセルは、このような環境下において、重複するマクロセルネットワーク（すなわちｅＮＢ）から得られるものよりも、より良いネットワークカバレッジ及びネットワーク容量を提供する。更に、ホーム又はエンタープライズｅＮＢは（「バックホール」として知られる）オペレータのネットワークからのデータ受信、あるいはデータの送信のために、ブロードバンド接続を使用する。
【発明の概要】
【発明が解決しようとする課題】
【０００４】
ホーム又はエンタープライズｅＮＢは、既存のマクロセルネットワークの延長として機能し、ホーム又はエンタープライズｅＮＢの通信範囲における全てのユーザに対し、更に広範囲かつ高容量のネットワークを提供する。このことは住居において、マクロセルのカバレッジが貧弱であり、かつ、ホームｅＮＢが「オープン」アクセスを有するよう構成されている場合、ホームｅＮＢが、その場所の居住者に対し（近くの人や通行人に対しても同様に）ネットワークへのアクセスを提供することを意味する。ホームｅＮＢからの通信と、重複するマクロセルネットワークとの間の干渉は、ホームｅＮＢとマクロセルネットワークとの間でユーザ装置（ＵＥ）の受け渡しを行うことで緩和される。
【０００５】
これらホーム又はエンタープライズｅＮＢの性質により、ハンドオーバシグナリングのために、近接するホーム又はエンタープライズｅＮＢ同士の間に、または、ホーム又はエンタープライズｅＮＢとマクロｅＮＢとの間に、Ｘ２インタフェースを確立する必要がないことが提案されている。この一つの理由は、近接するホーム又はエンタープライズｅＮＢ同士の間、及びホーム又はエンタープライズｅＮＢとマクロｅＮＢとの間にＸ２インタフェースが設けられる場合、ホーム又はエンタープライズｅＮＢを大量に配置すれば、（想定されるように）、ホーム又はエンタープライズｅＮＢのそれぞれ、及び、特にマクロｅＮＢのそれぞれによって管理されるＸ２インタフェースが大量になることである。さらに、ホーム又はエンタープライズｅＮＢの性質により、ホーム又はエンタープライズｅＮＢは有効化され、無効化されるので、マクロｅＮＢの範囲内のホーム又はエンタープライズｅＮＢの数は、頻繁に変化する。従って、マクロｅＮＢは、頻繁にそれらの接続を再設定する必要がある。これにより、マクロｅＮＢが著しく複雑化する。
【０００６】
しかしながら、ホーム又はエンタープライズｅＮＢに対してＸ２インタフェースを用意しておくことについては利点がある。これらの利点は、フェムト層とマクロ層との間でハンドオーバをより速く実行できること、ホーム又はエンタープライズｅＮＢの使用を登録されたユーザ装置（ＵＥ）がその近接に到達するとき、ホーム又はエンタープライズｅＮＢを起動できること、ホームｅＮＢとマクロｅＮＢとの間の、及び、近接するホームｅＮＢ同士の間の干渉制御を提供できることである。特に、ホーム又はエンタープライズｅＮＢに、他の方法では利用できないマクロアップリンクの読み込み及び使用の表示を設けることができる。
【０００７】
従って、近接するホーム又はエンタープライズｅＮＢ同士の間、及び、ホーム又はエンタープライズｅＮＢとマクロｅＮＢとの間のＸ２インタフェースを、ホーム又はエンタープライズｅＮＢとマクロｅＮＢとの間で作動するプロキシ機能を使用して提供することができると、提案されている。例となるシステムを図１に示す。上述のように、Ｘ２プロキシは、そのホームｅＮＢそれぞれと、各ホームｅＮＢに対する１つのＸ２インターフェースを介して接続され、Ｘ２プロキシによって管理される１以上のホームｅＮＢと重複するセルを管理するマクロｅＮＢのそれぞれと、各Ｘ２インタフェースにより接続される。
【０００８】
この提案によれば、ホームｅＮＢからマクロｅＮＢの方向に対し、Ｘ２プロキシは、「集約」機能を実行し、ホームｅＮＢ層の読み込みの詳細をマクロｅＮＢに提供する。すると、マクロｅＮＢは、ホームｅＮＢ層の読み込みを考慮することを要求され、これによりマクロｅＮＢの複雑性が増す。更に、もし、各種のホームｅＮＢが異なる読み込み条件を使用し、特定のマクロｅＮＢに対し、異なる経路ロス／シャドーイングを有するならば、集約されたＸ２をマクロｅＮＢに提供することにおける利点については疑問の余地がある。ホームｅＮＢとマクロｅＮＢとの間の干渉感受性の違いをもたらすからである。
【０００９】
従って、本発明の目的は、近接するホーム又はエンタープライズｅＮＢ同士の間に、及び、ホーム又はエンタープライズｅＮＢとマクロｅＮＢとの間にＸ２インタフェースを提供する代替案を提供することにある。
【課題を解決するための手段】
【００１０】
したがって、少なくとも一つのマクロセル基地局と、前記マクロセル基地局のカバレッジエリア範囲内にある複数のフェムトセル基地局とを備える通信ネットワークを操作する方法であって、前記少なくとも一つのマクロセル基地局と前記複数のフェムトセル基地局との間のシグナリング経路にプロキシを設けるステップと、移動性支援及び干渉制御のための一方向のシグナリングを、前記少なくとも一つのマクロセル基地局から前記プロキシへ提供するステップと、移動性支援及び干渉制御のためのシグナリングを、前記プロキシと前記複数のフェムトセル基地局との間に提供するステップと、を備える方法が提供される。
【００１１】
本発明の第２の側面によれば、少なくとも１つのマクロセル基地局と、前記少なくとも１つのマクロセル基地局のカバレッジエリア範囲内にある複数のフェムトセル基地局とを備える通信ネットワークにおいて使用されるノードであって、前記少なくとも１つのマクロセル基地局と前記複数のフェムトセル基地局との間のシグナリング経路においてプロキシとして機能し、移動性支援及び干渉制御のための一方向シグナリングを、前記少なくとも１つのマクロセル基地局から受信し、移動性支援及び干渉制御のためのシグナリングを前記複数のフェムトセル基地局に提供するように、構成されるノードが提供される。
【００１２】
本発明の第３の側面によれば、少なくとも１つのマクロセル基地局と、プロキシとを備える通信ネットワークにおいて使用されるフェムトセル基地局であって、前記少なくとも１つのマクロセル基地局のカバレッジエリア範囲内での使用に適し、移動性支援及び干渉制御のための一方向シグナリングを、前記プロキシを介して前記少なくとも１つのマクロセル基地局から受信するように構成されるフェムトセル基地局が提供される。
【００１３】
本発明の第４の側面によれば、少なくとも一つのマクロ基地局装置と、前記少なくとも一つのマクロ基地局装置のカバレッジエリア範囲内にある複数のホーム又はエンタープライズ基地局装置とを備えるＥ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）を操作する方法であって、前記少なくとも一つのマクロ基地局装置と前記複数のホーム又はエンタープライズ基地局装置との間のシグナリング経路にプロキシを設けることと、前記少なくとも一つのマクロ基地局装置から前記プロキシへ一方向Ｘ２シグナリングを提供することと、前記プロキシと前記複数のホーム又はエンタープライズ基地局装置との間にＸ２シグナリングを提供することと、を備える方法が提供される。
【図面の簡単な説明】
【００１４】
本発明の各実施例は、以下の図面を参照して説明される（ただし、それらは本発明の一例に過ぎない）。
【００１５】
【図１】図１は、ホームｅＮＢと１以上のマクロｅＮＢとの間にＸ２プロキシが設けられる従来のシステムを示す。
【図２】図２は、本発明の第１の実施例に係る、ホームｅＮＢと１以上のマクロｅＮＢとの間にＸ２プロキシが設けられるシステムを示す。
【図３】図３は、第２の実施例に係る、ホームｅＮＢと１以上のｅＮＢとの間にＸ２プロキシが設けられるシステムを示す。
【図４】図４は、本発明に係るＥ−ＵＴＲＡＮの操作方法を示す。
【発明を実施するための形態】
【実施例１】
【００１６】
以下、Ｅ−ＵＴＲＡＮ（Evolved Universal Terrestrial Radio Access Network）、及びホームｅＮＢに関連して、本発明を説明するが、本発明は、大量のフェムトセル基地局（家庭用、又は、ビジネス用に関わらず）が配置されうる他の種類の第３又は次世代ネットワークにも適用可能である。更に、Ｘ２シグナリング及びＸ２インタフェースに関連して、本発明を説明するが、本発明は、移動性支援及び干渉制御のためのシグナリングを提供するインタフェースに適用できる。
【００１７】
図２は、本発明に係るＥ−ＵＴＲＡＮ（Evolved Universal Terrestrial Radio Access Network）２の第１の実施例を示している。Ｅ−ＵＴＲＡＮ２は、円５で示されるセルカバレッジエリアを有する第１のマクロ基地局装置（ｅＮＢ：enhanced Node B）４、及びカバレッジエリアが示されていない第２のマクロｅＮＢ６を備える。
【００１８】
この実施例では、第１のマクロｅＮＢ４のセルカバレッジ５範囲内に、４つのホーム基地局装置（ｅＮＢ：enhanced Node B）８、１０、１２、及び１４が存在する。ホームｅＮＢ８、１０、１２、及び１４のそれぞれは、それぞれのセルカバレッジエリア（不図示）を有するが、ホームｅＮＢの性質により、このカバレッジエリアは、第１のマクロｅＮＢ４のカバレッジエリア５よりも大幅に小さいとされる。
【００１９】
上述したように、装置間のＸ２インターフェースは、Ｅ−ＵＴＲＡＮ２におけるハンドオーバ操作及び干渉管理にとって望ましい。しかしながら、Ｘ２インタフェースが、ホームｅＮＢ８、１０、１２、及び１４のそれぞれと第１のマクロｅＮＢ４との間に存在するのは望ましくない。
【００２０】
従って、本発明によれば、Ｘ２プロキシ１６が、第１のマクロｅＮＢ４とホームｅＮＢ８、１０、１２、及び１４との間のシグナリング経路に設けられる。第１のマクロｅＮＢ４は、ホームｅＮＢ８、１０、１２、及び１４のそれぞれにＸ２インタフェースをブロードキャストするＸ２プロキシ１６に、ただ１つのＸ２インタフェースを提供する。従って、第１のマクロｅＮＢ４とＸ２プロキシ１６との間のＸ２シグナリングは、一方向である。
【００２１】
本実施例において、Ｘ２プロキシ１６からそれぞれのホームｅＮＢ８、１０、１２、及び１４へのＸ２シグナリングも、一方向である。しかしながら、ホームｅＮＢ８、１０、１２、及び１４のそれぞれは、Ｘ２インタフェースを介した、近接するホームｅＮＢである（すなわち、それぞれが他のカバレッジエリアの範囲内にある）他のホームｅＮＢのそれぞれとの双方向シグナリングを有する。従って、図２に示されるように、ホームｅＮＢ８、１０、及び１２のそれぞれが、Ｘ２インタフェースを介した、それぞれとの双方向シグナリングを有する一方、ホームｅＮＢ１４は、Ｘ２インタフェースを介した、ホームｅＮＢ１２との双方向シグナリング有するだけである。
【００２２】
Ｘ２インタフェースを介した双方向シグナリングは、第１のマクロｅＮＢ４及び第２のマクロｅＮＢ６等の近接するマクロｅＮＢ同士の間にも提供され、このＸ２インタフェースは通常通り動作することができる。
【００２３】
従って、このＥ−ＵＴＲＡＮ２の配置は、マクロｅＮＢが近接するマクロｅＮＢへの影響のみを考慮すればよく、カバレッジエリア内に存在するかもしれないホームｅＮＢへの影響を考慮する必要がないので、マクロｅＮＢの複雑さが最小化され、その性能は制約を受けないことを意味する。さらに、マクロｅＮＢはホームｅＮＢの存在を発見する必要がない。
【００２４】
ホームｅＮＢは近接するホームｅＮＢ及びマクロｅＮＢへの影響を考慮する必要がある。
【００２５】
上記から、図２は、「物理的な」接続ではなく、マクロｅＮＢとホームｅＮＢとの間の情報の論理流れ図を示している。特に、ホームｅＮＢはブロードバンドインターネット接続（又は、それに類するもの）を介して、インターネットサービスプロバイダー（ＩＳＰ：Internet Service Provider）に接続され、ＩＳＰからＥ−ＵＴＲＡＮのコアネットワークへ接続される可能性が高い。従って、ホームｅＮＢ同士の間の、及びホームｅＮＢとＸ２プロキシとの間のＸ２インタフェースは、これらのインターネット接続により確立される。
【００２６】
ホームｅＮＢ８、１０、１２、又は１４が初期化され、その後定期的に初期化される場合、ホームｅＮＢは、そのマクロｅＮＢ４及びそのホームｅＮＢに近接するｅＮＢを見つけるために、（ホームｅＮＢに備えられた探知機能によって、あるいは、ＵＥの場所からホームｅＮＢまでの測定を使用して）下り帯域をスキャンする。更に、ホームｅＮＢは、必要に応じて（近接するｅＮＢがマクロｅＮＢであるか、又はホームｅＮＢであるか否かに依存する。本実施例では、マクロｅＮＢに対してのみとする）、新たに発見された近接するｅＮＢからの、または、新たに発見された近接するｅＮＢへのＸ２インタフェース情報を提供するよう、Ｘ２プロキシ１６に要求できる。
【００２７】
Ｘ２プロキシ１６と識別された近接するｅＮＢとの間に既に存在しているＸ２接続がない場合、Ｘ２プロキシ１６は、Ｘ２プロキシ１６とこれら近接するｅＮＢとの間でＸ２インタフェースのセットアップを開始する。次に、適切なＸ２インタフェース情報が、Ｘ２プロキシ１６と、要求中のホームｅＮＢとの間で交換される。
【００２８】
ホームｅＮＢ８、１０、１２、又は１４とＸ２プロキシ１６との間のＸ２情報の交換は、別のホームｅＮＢ８、１０、１２、又は１４が近接するｅＮＢを検知しなくなると、終了する。
【００２９】
ホームｅＮＢ８、１０、１２、又は１４とＸ２プロキシ１６との間のＸ２情報の交換は、ホームｅＮＢが停止（つまり電源オフ）した場合にも終了する。
【００３０】
いずれのホームｅＮＢも第１のマクロｅＮＢ４からのＸ２情報を要求していない場合、第１のマクロｅＮＢ４からＸ２プロキシ１６へのＸ２情報の転送は、設定可能なタイムアウト時間が経過するまで、継続しうる。これにより、一時的にスイッチが切られた後スイッチを入れられたホームｅＮＢにＸ２情報を提供するために必要とされる時間を最小限に抑える。
【００３１】
このようにして、ホームｅＮＢは、少ない数の近接するホームｅＮＢ及びマクロｅＮＢにおいて、読み込み及び干渉状態を考慮できる。しかしながら、マクロｅＮＢは、マクロｅＮＢの近辺にある、ホームｅＮＢの巨大でありうるセットに関して何も知る必要はないし、何もする必要がないため、マクロｅＮＢが簡素化する。更に、Ｘ２プロキシ１６は、複数のホームｅＮＢの上述した集約機能を実行する必要がないため、プロキシ機能が簡素化する。
【００３２】
本実施例では、ホームｅＮＢ８、１０、１２、及び１４は、Ｘ２プロキシ１６に上記に示される情報を提供するよう要求することをホームｅＮＢに許可するＸ２プロキシ１６への「上り」Ｘ２接続を有していない。この場合、又は全ての場合において、他の制御インタフェース（例えば、Ｓ１インタフェース）を使い、マクロｅＮＢ４とのＸ２情報交換のセットアップまたは終了を要求して、ホームｅＮＢはＸ２プロキシ１６と通信できる。ホームｅＮＢ８、１０、１２、及び１４のそれぞれは、コアネットワークへのＳ１インタフェースを既に有していても良い。
【００３３】
ホームｅＮＢは、無線環境の測定から、近接するマクロｅＮＢを検知でき、制御インタフェースを使って、検知されたマクロｅＮＢからのＸ２シグナリングを提供するように、Ｘ２プロキシ１６に要求できる。
【００３４】
ホームｅＮＢが、近接するホームｅＮＢを１つも検知しない場合（例えば、ホームｅＮＢが停止した場合）、ホームｅＮＢは、制御インタフェースを使って、近接するホームｅＮＢとのＸ２シグナリングの停止を要求できる。
【００３５】
制御インタフェースは、Ｘ２プロキシ１６によって、Ｘ２シグナリングの供給をマクロｅＮＢに要求するためにも使われる。
【００３６】
特に、大量のホームｅＮＢをコアネットワークに接続するために集中機能を提供するゲートウェイ又は他のネットワークノードが存在しても良い。従って、本実施例では、Ｘ２プロキシ１６は、できれば、ゲートウェイ機能と共に共同設置されるのが良い。この場合、Ｘ２情報交換のセットアップ又は終了を要求する制御シグナリングは、ゲートウェイと、登録、認証等の他の目的に使用されるホームｅＮＢとの間の制御シグナリングと同じインタフェース上で送られる。
【実施例２】
【００３７】
図３は、本発明の第２の実施例に係る別のＥ−ＵＴＲＡＮ２を示している。この図では、図２で示した第１の実施例と共通する要素には、同じ参照番号を付す。さらに、第１のマクロｅＮＢ４は、Ｘ２インタフェースをホームｅＮＢ８、１０、１２、及び１４のそれぞれにブロードキャストするＸ２プロキシ１６に、ただ１つのＸ２インタフェースを提供する。従って、第１のマクロｅＮＢ４とＸ２プロキシ１６との間のＸ２シグナリングは一方向である。
【００３８】
しかしながら、本実施例では、Ｘ２プロキシ１６からそれぞれのホームｅＮＢ８、１０、１２、及び１４へのＸ２シグナリングは双方向である。従って、ホームｅＮＢ８、１０、１２、及び１４のそれぞれは、それぞれのＸ２インタフェースを介した、Ｘ２プロキシ１６との双方向シグナリングを有し、このシグナリングはホームｅＮＢ８、１０、１２、及び１４のそれぞれの間のＸ２インタフェースを置換する。本実施例では、ホームｅＮＢは、無線環境の測定から、近接するホームｅＮＢの検知も行い、制御用インタフェースを使って、検知されたホームｅＮＢからのＸ２シグナリングを提供するようＸ２プロキシ１６に要求することができる。第１の実施例と共通して、Ｘ２情報フローのセットアップ及びリリースのための制御シグナリングは、ホームｅＮＢとコアネットワークのゲートウェイとの間に設けられる制御インタフェース（例えば、Ｓ１）上で送られる。
【００３９】
図４は、本発明に係るＥ−ＵＴＲＡＮの操作方法を示す。ステップ１０１で、プロキシは少なくとも１つのマクロｅＮＢと複数のホームｅＮＢとの間のシグナリング経路に設けられる。ステップ１０３で、一方向Ｘ２シグナリングはマクロｅＮＢからプロキシへ提供される。ステップ１０５において、Ｘ２シグナリングはＸ２プロキシから複数のホームｅＮＢへ提供される。
【００４０】
上述したように、実施例において、Ｘ２プロキシから複数のホームｅＮＢへのＸ２シグナリングは一方向であり、方法は更に、ホームｅＮＢのそれぞれの間に双方向シグナリングを提供するステップを有する。
【００４１】
しかしながら、別の実施例において、Ｘ２プロキシから複数のホームｅＮＢへのＸ２シグナリングは双方向でも良い。これはＸ２プロキシが、ホームｅＮＢ同士の間のＸ２シグナリングの媒介として機能することを意味する。
【００４２】
従って、近接するホームｅＮＢ同士の間、及びホームｅＮＢとマクロｅＮＢとの間にＸ２インタフェースを提供するＥ−ＵＴＲＡＮの操作方法が提供される。
【００４３】
開示された実施形態のバリエーションは、図面、開示、及び付随のクレームを研究し、クレームに記載の発明を実行することにより、当業者に理解及び達成されることができる。クレーム内において、「備える」の語は、他の要素またはステップを除外するものではなく、不定冠詞の「ａ」または「ａｎ」の語は、複数であることを除外するものではない。単一の処理装置又は他の装置が、クレームに記載されたいくつかの要素の機能を実現しても良い。ある複数の手段が互いに異なる従属クレームで詳述されるという単なる事実は、その利点を得るためにこれらの手段の組合せを使用することができないことを意味するものではない。コンピュータプログラムは、他のハードウェアと共にあるいはその一部として供給された、光学記憶メディアまたは固体物理メディアのような適切なメディアにより記憶／配布されてもよいが、インターネットや他の有線または無線通信システムのような他の方法形態で配布されてもよい。クレーム内のいかなる引用符号も、範囲の制限として解釈されるべきではない。
【図１】
2010045782.tif 000003
【図２】
2010045782.tif 000004
【図３】
2010045782.tif 000005
【図４】
2010045782.tif 000006
【外国語明細書】
2010045782.tif 000007
2010045782.tif 000008
2010045782.tif 000009
2010045782.tif 000010
2010045782.tif 000011
2010045782.tif 000012
2010045782.tif 000013
2010045782.tif 000014
2010045782.tif 000015
2010045782.tif 000016
2010045782.tif 000017
2010045782.tif 000018
2010045782.tif 000019
2010045782.tif 000020
2010045782.tif 000021
2010045782.tif 000022